【手続補正書】
【提出日】平成25年9月26日(2013.9.26)
【手続補正１】
【補正対象書類名】特許請求の範囲
【補正対象項目名】全文
【補正方法】変更
【補正の内容】
【特許請求の範囲】
【請求項１】
道路網を規定する道路ネットワークデータを記憶するネットワークデータ記憶手段と、
上記ネットワークデータ記憶手段に記憶された上記道路ネットワークデータ、および、風による走行負荷を示す風負荷情報に基づいて、少なくとも出発地と目的地を含む経路探索条件を満たす上記出発地から上記目的地までの経路を探索して取得する経路探索手段と、
上記経路探索手段により取得された上記経路を示す経路情報を生成する経路情報生成手段と、
上記経路情報生成手段により生成された上記経路情報を、出力部に出力する経路情報出力手段と、
を備えたことを特徴とする、ナビゲーションシステム。
【請求項２】
請求項１に記載のナビゲーションシステムにおいて、
風向および風速に関する風向風速情報を記憶する風向風速情報記憶手段、
上記風向風速情報記憶手段に記憶された上記風向風速情報に基づいて、上記道路ネットワークデータの道路リンクを規準とした風の風量成分を分析して上記風負荷を算出し、上記風負荷情報を生成する風負荷算出手段、
を更に備えたことを特徴とする、ナビゲーションシステム。
【請求項３】
請求項２に記載のナビゲーションシステムにおいて、
上記風負荷算出手段は、
上記風向風速情報に基づいた上記風向および上記風速で表される風量ベクトルを、上記道路リンクに沿った進行方向の上記風量成分と当該進行方向に垂直な方向の上記風量成分に分解し、上記各風量成分に基づいて上記風負荷を算出することを特徴とする、ナビゲーションシステム。
【請求項４】
請求項１から３のいずれか一つに記載のナビゲーションシステムにおいて、
上記風負荷算出手段は、
上記ネットワークデータ記憶手段に記憶された上記道路ネットワークデータに基づいて、上記道路リンクに重み付けを行うことにより、上記風負荷を算出することを特徴とする、ナビゲーションシステム。
【請求項５】
請求項１から３のいずれか一つに記載のナビゲーションシステムにおいて、
地図データを記憶する地図データ記憶手段、
を更に備え、
上記風負荷算出手段は、
上記地図データ記憶手段により記憶された上記道路リンク周辺の上記地図データに基づいて、上記道路リンクに重み付けを行うことにより、上記風負荷を算出することを特徴とする、ナビゲーションシステム。
【請求項６】
請求項１から５のいずれか一つに記載のナビゲーションシステムにおいて、
上記ネットワークデータ記憶手段に記憶される道路ネットワークデータは、道路リンクのリンクコストを含み、
上記経路探索手段は、
上記道路ネットワークデータの上記リンクコストに上記風負荷情報を加味して、上記経路探索条件を満たす上記経路を探索することを特徴とする、ナビゲーションシステム。
【請求項７】
請求項６に記載のナビゲーションシステムにおいて、
上記経路探索手段は、
上記風負荷情報の上記風負荷を、風コストとして上記道路リンクの上記リンクコストに付加して上記経路を探索することを特徴とする、ナビゲーションシステム。
【請求項８】
請求項６に記載のナビゲーションシステムにおいて、
上記経路探索手段は、
上記風負荷に応じた割合を示すコスト増減度を上記リンクコストに乗じて、上記経路を探索することを特徴とする、ナビゲーションシステム。
【請求項９】
請求項６に記載のナビゲーションシステムにおいて、
上記風負荷情報を記憶する風負荷情報記憶手段、
を更に備え、
上記経路探索手段は、
上記道路ネットワークデータの上記リンクコスト、および、上記風負荷情報記憶手段に記憶された上記風負荷情報に基づいて、上記経路を探索することを特徴とする、ナビゲーションシステム。
【請求項１０】
請求項６に記載のナビゲーションシステムにおいて、
上記道路ネットワークデータの上記リンクコストは、
上記道路リンクのコストに、上記風負荷を考慮に入れた風考慮リンクコストであり、
上記経路探索手段は、
上記ネットワークデータ記憶手段に記憶された上記道路ネットワークデータの上記風考慮リンクコストに基づいて、上記経路を探索することを特徴とする、ナビゲーションシステム。
【請求項１１】
請求項１から１０のいずれか一つに記載のナビゲーションシステムにおいて、
上記経路情報生成手段は、
上記経路探索手段により取得された上記経路の情報に加えて、当該経路の周辺における風に関する情報を付加した上記経路情報を生成することを特徴とする、ナビゲーションシステム。
【請求項１２】
請求項１から１０のいずれか一つに記載のナビゲーションシステムにおいて、
上記経路情報生成手段は、
上記経路探索手段により取得された上記経路の情報に加えて、当該経路上の風負荷または風に関する情報を当該経路周辺の地図上に付加した上記経路情報を生成することを特徴とする、ナビゲーションシステム。
【請求項１３】
請求項２から１２のいずれか一つに記載のナビゲーションシステムにおいて、
上記風負荷算出手段は、
上記経路上における複数の時間帯の風量もしくは風負荷、または、複数の経路上における風量もしくは風負荷を算出し、
上記経路情報生成手段は、
上記風負荷算出手段が算出した上記複数の上記風量または上記風負荷に基づいた情報を更に含む上記経路情報を生成することを特徴とする、ナビゲーションシステム。
【請求項１４】
請求項２から１２のいずれか一つに記載のナビゲーションシステムにおいて、
上記経路情報生成手段は、
上記風負荷算出手段により算出された上記風量、上記風負荷、または上記風負荷に基づいて算出した上記走行負荷を、指標に換算して上記経路情報を生成することを特徴とする、ナビゲーションシステム。
【請求項１５】
道路網を規定する道路ネットワークデータを記憶するネットワークデータ記憶手段と、
上記ネットワークデータ記憶手段に記憶された上記道路ネットワークデータに基づいて、少なくとも出発地と目的地を含む経路探索条件を満たす上記出発地から上記目的地までの経路を探索して取得する経路探索手段と、
風による走行負荷を示す風負荷情報、および、上記経路探索手段により取得された上記経路に基づいて、経路情報を生成する経路情報生成手段と、
上記経路情報生成手段により生成された上記経路情報を、出力部に出力する経路情報出力手段と、
を備えたことを特徴とする、ナビゲーションシステム。
【請求項１６】
請求項１から１４のいずれか一つに記載のナビゲーションシステムにおいて、
上記経路探索手段は、
上記風負荷情報が更新された場合に、上記経路探索条件を満たす上記出発地から上記目的地までの上記経路を再探索することを特徴とする、ナビゲーションシステム。
【請求項１７】
請求項１から１６のいずれか一つに記載のナビゲーションシステムにおいて、
上記経路探索手段は、
上記道路ネットワークデータおよび上記風負荷情報に基づいて、移動手段を自転車とした場合の自転車用の上記経路を探索することを特徴とする、ナビゲーションシステム。
【請求項１８】
出力部を少なくとも備えた端末装置に通信可能に接続された、制御部と記憶部とを少なくとも備えたサーバ装置であって、
上記記憶部は、
道路網を規定する道路ネットワークデータを記憶するネットワークデータ記憶手段、
を備え、
上記制御部は、
上記端末装置から送信される、少なくとも出発地と目的地を含む経路探索条件を受信する経路探索条件受信手段と、
上記ネットワークデータ記憶手段に記憶された上記道路ネットワークデータ、および、風による走行負荷を示す風負荷情報に基づいて、上記経路探索条件を満たす上記出発地から上記目的地までの経路を探索して取得する経路探索手段と、
上記経路探索手段により取得された上記経路を示す経路情報を生成する経路情報生成手段と、
上記経路情報生成手段により生成された上記経路情報を、上記端末装置に送信することにより、上記出力部に出力させる経路情報送信手段と、
を備えたことを特徴とする、サーバ装置。
【請求項１９】
出力部を少なくとも備えた端末装置に通信可能に接続された、制御部と記憶部とを少なくとも備えたサーバ装置であって、
上記記憶部は、
道路網を規定する道路ネットワークデータを記憶するネットワークデータ記憶手段、
を備え、
上記制御部は、
上記端末装置から送信される、少なくとも出発地と目的地を含む経路探索条件を受信する経路探索条件受信手段と、
上記ネットワークデータ記憶手段に記憶された上記道路ネットワークデータに基づいて、上記経路探索条件を満たす上記出発地から上記目的地までの経路を探索して取得する経路探索手段と、
風による走行負荷を示す風負荷情報、および、上記経路探索手段により取得された上記経路に基づいて、経路情報を生成する経路情報生成手段と、
上記経路情報生成手段により生成された上記経路情報を、上記端末装置に送信することにより、当該端末装置の上記出力部に出力させる経路情報送信手段と、
を備えたことを特徴とする、サーバ装置。
【請求項２０】
記憶部を少なくとも備えたサーバ装置に通信可能に接続された、制御部と出力部とを少なくとも備えた端末装置であって、
上記記憶部は、
道路網を規定する道路ネットワークデータを記憶するネットワークデータ記憶手段、
を備え、
上記制御部は、
出発地と目的地を少なくとも含む経路探索条件を上記サーバ装置に送信する経路探索条件送信手段と、
上記ネットワークデータ記憶手段に記憶された上記道路ネットワークデータ、および、風による走行負荷を示す風負荷情報に基づいて、生成された経路情報を上記サーバ装置から受信する経路情報受信手段と、
上記経路情報受信手段により受信された上記経路情報を、上記出力部に出力する経路情報出力手段と、
を備えたことを特徴とする、端末装置。
【請求項２１】
記憶部と制御部と出力部を少なくとも備えたナビゲーション装置であって、
上記記憶部は、
道路網を規定する道路ネットワークデータを記憶するネットワークデータ記憶手段、
を備え、
上記制御部は、
上記ネットワークデータ記憶手段に記憶された上記道路ネットワークデータ、および、風による走行負荷を示す風負荷情報に基づいて、少なくとも出発地と目的地を含む経路探索条件を満たす上記出発地から上記目的地までの経路を探索して取得する経路探索手段と、
上記経路探索手段により取得された上記経路を示す経路情報を生成する経路情報生成手段と、
上記経路情報生成手段により生成された上記経路情報を、出力部に出力する経路情報出力手段と、
を備えたことを特徴とする、ナビゲーション装置。
【請求項２２】
記憶部と制御部と出力部を少なくとも備えたナビゲーション装置であって、
上記記憶部は、
道路網を規定する道路ネットワークデータを記憶するネットワークデータ記憶手段、
を備え、
上記制御部は、
上記ネットワークデータ記憶手段に記憶された上記道路ネットワークデータに基づいて、少なくとも出発地と目的地を含む経路探索条件を満たす上記出発地から上記目的地までの経路を探索して取得する経路探索手段と、
風による走行負荷を示す風負荷情報、および、上記経路探索手段により取得された上記経路に基づいて、経路情報を生成する経路情報生成手段と、
上記経路情報生成手段により生成された上記経路情報を、出力部に出力する経路情報送信手段と、
を備えたことを特徴とする、ナビゲーション装置。
【請求項２３】
ナビゲーションシステムにおいて実行されるナビゲーション方法であって、
上記ナビゲーションシステムは、
道路網を規定する道路ネットワークデータを記憶するネットワークデータ記憶手段と、経路探索手段と、経路情報生成手段と、経路情報出力手段と、を備え、
上記経路探索手段が、上記ネットワークデータ記憶手段に記憶された上記道路ネットワークデータ、および、風による走行負荷を示す風負荷情報に基づいて、少なくとも出発地と目的地を含む経路探索条件を満たす上記出発地から上記目的地までの経路を探索して取得する経路探索ステップと、
上記経路情報生成手段が、上記経路探索ステップにて取得された上記経路を示す経路情報を生成する経路情報生成ステップと、
上記経路情報出力手段が、上記経路情報生成ステップにて生成された上記経路情報を、出力部に出力する経路情報出力ステップと、
を含むことを特徴とする、ナビゲーション方法。
【請求項２４】
ナビゲーションシステムにおいて実行されるナビゲーション方法であって、
上記ナビゲーションシステムは、
道路網を規定する道路ネットワークデータを記憶するネットワークデータ記憶手段と、経路探索手段と、経路情報生成手段と、経路情報出力手段と、を備え、
上記経路探索手段が、上記ネットワークデータ記憶手段に記憶された上記道路ネットワークデータに基づいて、少なくとも出発地と目的地を含む経路探索条件を満たす上記出発地から上記目的地までの経路を探索して取得する経路探索ステップと、
上記経路情報生成手段が、風による走行負荷を示す風負荷情報、および、上記経路探索ステップにて取得された上記経路に基づいて、経路情報を生成する経路情報生成ステップと、
上記経路情報出力手段が、上記経路情報生成ステップにて生成された上記経路情報を、出力部に出力する経路情報出力ステップと、
を含むことを特徴とする、ナビゲーション方法。
【請求項２５】
ナビゲーションシステムに実行させるためのプログラムであって、
上記ナビゲーションシステムは、
道路網を規定する道路ネットワークデータを記憶するネットワークデータ記憶手段と、経路探索手段と、経路情報生成手段と、経路情報出力手段と、を備え、
上記経路探索手段において、上記ネットワークデータ記憶手段に記憶された上記道路ネットワークデータ、および、風による走行負荷を示す風負荷情報に基づいて、少なくとも出発地と目的地を含む経路探索条件を満たす上記出発地から上記目的地までの経路を探索して取得する経路探索ステップと、
上記経路情報生成手段において、上記経路探索ステップにて取得された上記経路を示す経路情報を生成する経路情報生成ステップと、
上記経路情報出力手段において、上記経路情報生成ステップにより生成された上記経路情報を、出力部に出力する経路情報出力ステップと、
を実行させるためのプログラム。
【請求項２６】
ナビゲーションシステムに実行させるためのプログラムであって、
上記ナビゲーションシステムは、
道路網を規定する道路ネットワークデータを記憶するネットワークデータ記憶手段と、経路探索手段と、経路情報生成手段と、経路情報出力手段と、を備え、
上記経路探索手段において、上記ネットワークデータ記憶手段に記憶された上記道路ネットワークデータに基づいて、少なくとも出発地と目的地を含む経路探索条件を満たす上記出発地から上記目的地までの経路を探索して取得する経路探索ステップと、
上記経路情報生成手段において、風による走行負荷を示す風負荷情報、および、上記経路探索ステップにて取得された上記経路に基づいて、経路情報を生成する経路情報生成ステップと、
上記経路情報出力手段において、上記経路情報生成ステップにて生成された上記経路情報を、出力部に出力する経路情報送信ステップと、
を実行させるためのプログラム。